【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】
塔／支持構造体と使用のアンテナ・システムであって、前記塔／支持構造体に取り付けられるよう構成されたアンテナ構造体を備えるアンテナ・システムにおいて、
複数のアンテナ要素を含むアンテナ構造体と、
複数の電力増幅器とを備え、
各電力増幅器は、前記アンテナ要素の１つと動作可能に結合され、かつ関連のアンテナ要素に極めて隣接して取り付けられ、それにより感知できる電力損失が前記電力増幅器と関連のアンテナ要素との間に生じなく、
各前記電力増幅器は、比較的低電力でかつワット当たり比較的低コストの線形電力増幅器チップを備え、
前記アンテナ構造体を有する前記塔／支持構造体に取り付けられよう構成された第１のＲＦ送受信機であって、前記アンテナ構造体と動作可能に結合される第１のＲＦ送受信機と、
前記塔／支持構造体の基部に隣接して取り付けられよう構成された第２のＲＦ送受信機であって、前記塔／支持構造体上の前記第１のＲＦ送受信機と結合されている第２のＲＦ送受信機と
を更に備えるアンテナ・システム。
【請求項２】
前記塔／支持構造体に取り付けられかつ前記アンテナ構造体と動作可能に結合されるＤＣバイアスＴ字形部材を更に含む請求項１記載のアンテナ・システム。
【請求項３】
前記ＤＣバイアスＴ字形部材と動作可能に結合され、かつ前記塔／支持構造体の基部に隣接した地上設置の第２のＤＣバイアスＴ字形部材に達する同軸線を更に含み、
前記第２のＤＣバイアスＴ字形部材は、ＤＣ供給に動作可能に結合される
請求項２記載のアンテナ・システム。
【請求項４】
前記第１及び第２のＲＦ送受信機が、無線リンク及びケーブルのうちの１つにより一緒に結合される請求項１記載のアンテナ・システム。
【請求項５】
複数のアンテナ要素を含むアンテナ構造体と、
複数の電力増幅器とを備え、
各電力増幅器は、前記アンテナ要素の１つと動作可能に結合され、かつ関連のアンテナ要素に極めて隣接して取り付けられ、それにより感知できる電力損失が前記電力増幅器と関連のアンテナ要素との間に生じなく、
各前記電力増幅器は、比較的低電力でかつワット当たり比較的低コストの線形電力増幅器チップを備え、
前記アンテナ構造体と動作可能に結合されるＲＦ／ファイバ送受信機と、
第２のＲＦ／ファイバ送受信機と、
前記の２つのＲＦ／ファイバ送受信機を結合する光ファイバ・ケーブルと
を更に含むアンテナ・システム。
【請求項６】
複数のアンテナ要素を含むアンテナ構造体と、
複数の電力増幅器と、を備え、
各電力増幅器は、前記アンテナ要素の１つと動作可能に結合され、かつ関連のアンテナ要素に極めて隣接して取り付けられ、それにより感知できる電力損失が前記電力増幅器と関連のアンテナ要素との間に生じなく、
各前記電力増幅器は、比較的低電力でかつワット当たり比較的低コストの線形電力増幅器チップを備え、
前記のアンテナ構造体と動作可能に結合されるＤＣバイアスＴ字形部材と、
前記ＤＣバイアスＴ字形部材に動作可能に結合されかつ第２のＤＣバイアスＴ字形部材に達する同軸線と、を更に備え、
前記第２のＤＣバイアスＴ字形部材は、ＤＣ供給、及び送信機／受信機からのＲＦ入力／出力に動作可能に結合される、アンテナ・システム。
【請求項７】
複数の送信アンテナ要素と、
複数の受信アンテナ要素と、
複数の電力増幅器と、を備え、
電力増幅器は、前記送信アンテナ要素の各々と動作可能に結合されかつ関連の送信アンテナ要素に極めて隣接して取り付けられ、それにより感知できる電力損失が前記電力増幅器と関連のアンテナ要素との間に生じなく、
信号を前記受信アンテナ要素の少なくとも１つから受信して増幅する少なくとも１つの低雑音増幅器を更に備え、
各前記電力増幅器は、比較的低電力でかつワット当たり比較的低コストの線形電力増幅器を備え、
前記受信アンテナ要素が、第１の線形アレイに配列され、
前記送信アンテナ要素が、前記第１の線形アレイから離間し且つそれに並列である第２の線形アレイに配列され、
前記第１の線形アレイと前記第２の線形アレイとの間に位置された導電性の中央ストリップ要素を更に備える分配型アンテナ装置。
【請求項８】
複数の低雑音増幅器を更に含み、各低雑音増幅器が前記受信アンテナ要素の１つと動作可能に結合される請求項７記載の分配型アンテナ装置。
【請求項９】
単一の低雑音増幅器が、前記受信アンテナ要素の全部の合計された出力に動作可能に結合される請求項７記載の分配型アンテナ装置。
【請求項１０】
単一の送信ＲＦケーブルが、送信されるべき信号を前記アンテナ装置に伝送するため全ての前記電力増幅器に結合されており、
単一の受信ＲＦケーブルが、受信された信号を前記アンテナ装置から離れるように伝送するため少なくとも１つの低雑音増幅器に結合されている
請求項７記載の分配型アンテナ装置。
【請求項１１】
前記受信アンテナ要素、前記送信アンテナ要素及び前記中央ストリップ要素は全部共通バックプレインに取り付けられている請求項７記載の分配型アンテナ装置。
【請求項１２】
全ての前記電力増幅器がまた前記バックプレインに取り付けられている請求項１１記載の分配型アンテナ装置。
【請求項１３】
複数の送信アンテナ要素と、
複数の受信アンテナ要素と、
複数の電力増幅器と、を備え、
電力増幅器は、前記送信アンテナ要素の各々と動作可能に結合されかつ関連の送信アンテナ要素に極めて隣接して取り付けられ、それにより感知できる電力損失が前記電力増幅器と関連のアンテナ要素との間に生じなく、
信号を前記受信アンテナ要素の少なくとも１つから受信して増幅する少なくとも１つの低雑音増幅器を更に備え、
各前記電力増幅器は、比較的低電力でかつワット当たり比較的低コストの線形電力増幅器を備え、
前記送信アンテナ要素及び前記受信アンテナ要素が、単一の線形アレイに交互に配列されている、分配型アンテナ装置。
【請求項１４】
前記送信アンテナ要素は１つの偏波に偏波され、前記受信アンテナ要素は前記送信アンテナ要素の偏波に対して直交して偏波されている請求項７記載の分配型アンテナ装置。
【請求項１５】
前記送信アンテナ要素は、所定のビーム・パターン、及び所定の相互結合量より多くない量を達成するよう離間されており、
前記受信アンテナ要素は、所定のビーム・パターン、及び所定の相互結合量より多くない量を達成するよう離間されている
請求項１３記載の分配型アンテナ装置。
【請求項１６】
前記送信アンテナ要素と動作可能に結合される送信共通給電構造体と、
前記受信アンテナ要素と動作可能に結合される受信共通給電構造体とを更に含み、
前記共通給電構造体の一方又は双方は、送信ビーム・パターンと受信ビーム・パターンとが実質的に似るよう調整される
請求項１５記載の分配型アンテナ装置。
【請求項１７】
前記送信アンテナ要素は１つの偏波に偏波され、前記受信アンテナ要素は前記送信アンテナ要素の偏波に直交して偏波される請求項１３記載の分配型アンテナ装置。
【請求項１８】
複数のアンテナ要素と、
複数の電力増幅器と、を備え、
電力増幅器は、前記送信アンテナ要素の各々と動作可能に結合されかつ関連のアンテナ要素に極めて隣接して取り付けられ、それにより感知できる電力損失が前記電力増幅器と関連のアンテナ要素との間に生じなく、
信号を前記受信アンテナ要素の少なくとも１つから受信して増幅する少なくとも１つの低雑音増幅器を更に備え、
各前記電力増幅器は、比較的低電力でかつワット当たり比較的低コストの線形電力増幅器を備え、
単一アレイのパッチ・アンテナ要素は、送信アンテナ要素及び受信アンテナ要素の双方として機能し、
前記パッチ・アンテナ要素の各々に結合された送信給電ストリップライン及び受信給電ストリップラインを更に含み、
前記送信給電ストリップライン及び前記受信給電ストリップラインは、少なくともそれらが各前記パッチ・アンテナ要素に結合されている領域で相互に直交して配向されている、分配型アンテナ装置。
【請求項１９】
単一の送信ＲＦケーブルが、送信されるべき信号を前記アンテナ装置に送るため全ての前記電力増幅器に結合されており、
単一の受信ＲＦケーブルが、受信された信号を前記アンテナ装置から離れるよう伝送するため少なくとも１つの低雑音増幅器に結合されている
請求項１８記載の分配型アンテナ装置。
【請求項２０】
全ての前記電力増幅器及び前記少なくとも１つの低雑音増幅器に動作可能に結合されて、単一のＲＦケーブルを全ての前記送信及び受信アンテナ要素に結合する低電力周波数ダイプレクサを更に含む請求項１８記載の分配型アンテナ装置。
【請求項２１】
各前記パッチ・アンテナ要素と動作可能に結合する周波数ダイプレクサを更に含み、
前記複数の電力増幅器及び前記少なくとも１つの低雑音増幅器が、前記周波数ダイプレクサと回路を形成するよう結合されている
請求項１８記載の分配型アンテナ装置。
【請求項２２】
各前記周波数ダイプレクサが、受信出力を有し、
前記少なくとも１つの低雑音増幅器が、各前記受信出力に結合された低雑音増幅器を含む
請求項２１記載の分配型アンテナ装置。
【請求項２３】
アンテナ・システムを塔／支持構造体に設ける方法において、
アンテナ・アレイに配列された複数のアンテナ要素を前記塔／支持構造体に取り付けるステップと、
比較的低電力でかつワット当たり比較的低コストの線形電力増幅器チップを備える電力増幅器を、感知できる電力損失が前記電力増幅器と関連のアンテナ要素との間で生じないように関連のアンテナ要素に極めて隣接して取り付けられた前記アンテナ要素の各１つと結合するステップと、
第１の送受信機を、前記アンテナ・アレイを有する前記塔／支持構造体上に配置するステップと、
前記第１の送受信機を、第２のＲＦ送受信機を前記塔／支持構造体の基部に隣接して取り付ける前記アンテナ・アレイと動作可能に結合するステップと、
前記第１の送受信機を前記第２の送受信機と結合するステップと
を備える方法。
【請求項２４】
ＤＣバイアスＴ字形部材を前記塔／支持構造体に取り付けるステップと、
前記ＤＣバイアスＴ字形部材を前記アンテナ・アレイと動作可能に結合するステップと
を更に含む請求項２３に記載の方法。
【請求項２５】
同軸線を前記ＤＣバイアスＴ字形部材から前記塔／支持構造体の基部に隣接した地上設置の第２のＤＣバイアスＴ字形部材へ結合するステップと、
前記第２のＤＣバイアスＴ字形部材をＤＣ供給に結合するステップと
を更に含む請求項２４に記載の方法。
【請求項２６】
無線リンク及びケーブルのうちの１つにより前記第１のＲＦ送受信機と前記第２のＲＦ送受信機とを一緒に結合するステップを更に備える請求項２３に記載の方法。
【請求項２７】
アンテナ・システムを設ける方法において、
複数のアンテナ要素を設けるステップと、
比較的低電力でかつワット当たり比較的低コストの線形電力増幅器チップを備える電力増幅器を、感知できる電力損失が前記電力増幅器と関連のアンテナ要素との間で生じないように関連のアンテナ要素に極めて隣接して取り付けられた前記アンテナ要素の各１つと結合するステップと、
第１のＲＦ／ファイバ送受信機を前記アンテナ要素と結合するステップと、
前記第２のＲＦ／ファイバ送受信機を前記アンテナ要素から遠隔に配置するステップと、
前記第１のＲＦ／ファイバ送受信機と前記第２のＲＦ／ファイバ送受信機との間に光ファイバ・ケーブルを結合するステップと
を備える方法。
【請求項２８】
分配型アンテナを組み立てる方法において、
複数の送信アンテナ要素をアレイに配列するステップと、
複数の受信アンテナ要素をアレイに配列するステップと、
電力増幅器を、感知できる電力損失が前記電力増幅器と関連のアンテナ要素との間で生じないように関連のアンテナ要素に極めて隣接して取り付けられた各前記アンテナ要素と結合するステップと
信号を前記受信アンテナ要素の少なくとも１つのから受信して増幅する少なくとも１つの低雑音増幅器を設けるステップと
前記受信アンテナ要素を第１の線形アレイに配列するステップと、
前記送信アンテナ要素を前記第１の線形アレイから離間し且つそれに並列である第２の線形アレイに配列するステップと、
導電性の中央ストリップ要素を前記第１の線形アレイと前記第２の線形アレイとの間に配置するステップと
を備える方法。
【請求項２９】
複数の低雑音増幅器が設けられ、各低雑音増幅器が前記受信アンテナ要素の１つと動作可能に結合される請求項２８記載の方法。
【請求項３０】
前記受信アンテナ要素の全ての出力を合計するステップと、
当該合計された出力を単一の低雑音増幅器に結合するステップと
を更に含む請求項２８記載の方法。
【請求項３１】
送信されるべき信号を前記送信アンテナ要素に伝送するため単一の送信ＲＦケーブルを全ての前記電力増幅器に結合するステップと、
受信された信号を前記受信アンテナ要素から離れるよう伝送するため単一の受信ＲＦケーブルを前記少なくとも１つの低雑音増幅器に結合するステップと
更に含む請求項２８記載の方法。
【請求項３２】
前記受信アンテナ要素、前記送信アンテナ要素及び前記中央ストリップ要素を共通のバックプレインに取り付けるステップを更に含む請求項２８記載の方法。
【請求項３３】
前記電力増幅器及び前記少なくとも１つの低雑音増幅器を前記バックプレインに取り付けるステップを更に含む請求項３２記載の方法。
【請求項３４】
分配型アンテナを組み立てる方法において、
複数の送信アンテナ要素をアレイに配列するステップと、
複数の受信アンテナ要素をアレイに配列するステップと、
電力増幅器を、感知できる電力損失が前記電力増幅器と関連のアンテナ要素との間で生じないように関連のアンテナ要素に極めて隣接して取り付けられた各前記アンテナ要素と結合するステップと
信号を前記受信アンテナ要素の少なくとも１つのから受信して増幅する少なくとも１つの低雑音増幅器を設けるステップと
前記送信アンテナ要素及び前記受信アンテナ要素を単一の線形アレイに交互に配列するステップと
を備える方法。
【請求項３５】
所定のビーム・パターン、及び所定の相互結合量より多くない量を達成するよう前記送信アンテナ要素を離間するステップと、
所定のビーム・パターン、及び所定の相互結合量より多くない量を達成するよう前記受信アンテナ要素を離間するステップと
を更に備える請求項３４記載の方法。
【請求項３６】
送信共通給電構造体を前記送信アンテナ要素と、かつ受信共通給電構造体を前記受信アンテナ要素と結合するステップと、
前記送信ビーム・パターン及び受信ビーム・パターンが実質的に似るよう前記共通給電構造体の一方又は双方を調整するステップと
を更に備える請求項３５記載の方法。
【請求項３７】
分配型アンテナを組み立てる方法において、
複数のアンテナ要素をアレイに配列するステップと、
電力増幅器を、感知できる電力損失が前記電力増幅器と関連のアンテナ要素との間で生じないように関連のアンテナ要素に極めて隣接して取り付けられた各前記アンテナ要素と結合するステップと
信号を前記受信アンテナ要素の少なくとも１つのから受信して増幅する少なくとも１つの低雑音増幅器を設けるステップと
単一アレイのパッチ・アンテナ要素が、送信アンテナ要素及び受信アンテナ要素の双方として機能し、
送信給電ストリップライン及び受信給電ストリップラインを各前記パッチ・アンテナ要素に結合するステップと、
前記送信給電ストリップライン及び前記受信給電ストリップラインを、少なくともそれらが各前記パッチ・アンテナ要素と結合される領域において相互に直交して配向するステップと
を更に備える方法。
【請求項３８】
複数の送信アンテナ要素と、
複数の受信アンテナ要素と、を更に備え、
前記受信アンテナ要素が、第１の線形アレイに配列され、
前記送信アンテナ要素が、前記第１の線形アレイから離間し且つそれに並列である第２の線形アレイに配列され、
前記第１の線形アレイと前記第２の線形アレイとの間に位置された導電性の中央ストリップ要素を更に備える請求項１記載のアンテナ・システム。
【請求項３９】
前記受信アンテナ要素、送信アンテナ要素及び中央ストリップ要素が、共通バックプレインに取り付けられている請求項３８記載のアンテナ・システム。
【請求項４０】
前記電力増幅器が、前記バックプレインに取り付けられている請求項３９記載のアンテナ・システム。
【請求項４１】
複数の送信アンテナ要素と、
複数の受信アンテナ要素と、を更に備え、
前記送信アンテナ要素及び前記受信アンテナ要素が、単一の線形アレイに交互に配列されている
請求項１記載のアンテナ・システム。
【請求項４２】
前記送信アンテナ要素が、１つの偏波に偏波され、
前記受信アンテナ要素が、前記送信アンテナ要素の偏波に対して直交して偏波されている
請求項４１記載のアンテナ・システム。
【請求項４３】
前記アンテナ要素が、送信アンテナ要素及び受信アンテナ要素の双方として機能するよう動作可能な単一アレイのパッチ・アンテナ要素を含み、
前記パッチ・アンテナ要素の各々に結合された送信給電ストリップライン及び受信給電ストリップラインを更に備え、
前記送信給電ストリップライン及び前記受信給電ストリップラインは、少なくともそれらが各前記パッチ・アンテナ要素に結合されている領域で相互に直交して配向されている
請求項１記載のアンテナ・システム。
【請求項４４】
前記アンテナ要素が、複数の送信アンテナ要素及び複数の受信アンテナ要素を含み、
前記受信アンテナ要素を第１の線形アレイに配列し、且つ前記送信アンテナ要素を前記第１の線形アレイから離間し且つそれに並列である第２の線形アレイに配列するステップと、
導電性の中央ストリップ要素を前記第１の線形アレイと前記第２の線形アレイとの間に配置するステップと
を備える請求項２３記載の方法。
【請求項４５】
前記アンテナ要素が、複数の送信アンテナ要素及び複数の受信アンテナ要素を含み、
前記送信アンテナ要素及び前記受信アンテナ要素を単一の線形アレイに交互に配列するステップを更に備える請求項２３記載の方法。
【請求項４６】
前記アンテナ要素が、送信アンテナ要素及び受信アンテナ要素の双方として機能するよう動作可能な単一アレイのパッチ・アンテナ要素を含み、
前記パッチ・アンテナ要素に結合された送信給電ストリップライン及び受信給電ストリップラインを用いて、前記パッチ・アンテナ要素に供給するステップと、
前記送信給電ストリップライン及び前記受信給電ストリップラインを、少なくともそれらが各前記パッチ・アンテナ要素に結合されている領域で相互に直交して配向するステップと
を備える請求項２３記載の方法。